(57)【要約】      （修正有）【課題】ガラス物品の収容作業および取り出し作業が容易であって作業効率の向上を実現する。【解決手段】ガラス物品収容容器１は、第１容器部１０と前記第２容器部２０とを積み重ねたときに第１容器部１０と第２容器部２０との間に設けられる収容空間ＳＰにガラス物品８０を収容する。収容空間ＳＰは、第１容器部１０において第１ブロック部１２が周りに設けられた第１収容空間部ＳＰ１と、第２容器部２０において前記第２ブロック部２２が周りに設けられた第２収容空間部ＳＰ２とを含む。第２収容空間部ＳＰ２の高さＨ２が第１収容空間部ＳＰ１の高さＨ１よりも低い。【選択図】図１Ａ
2019099169.tif 000002
【特許請求の範囲】
【請求項１】
第１容器部と第２容器部とを備え、前記第１容器部と前記第２容器部とを積み重ねたときに前記第１容器部と前記第２容器部との間に設けられる収容空間にガラス物品を収容するガラス物品収容容器であって、
前記第１容器部は、
第１プレート部と、
前記第１プレート部のうち前記第２容器部側に位置する面に形成された第１ブロック部と
を有し、
前記第２容器部は、
前記第１プレート部に対面する第２プレート部と、
前記第２プレート部のうち前記第１容器部側に位置する面に形成された第２ブロック部と
を有し、
前記収容空間は、
前記第１容器部において前記第１ブロック部が周りに設けられた第１収容空間部と、
前記第２容器部において前記第２ブロック部が周りに設けられた第２収容空間部と
を含み、
前記第２収容空間部の高さが、前記第１収容空間部の高さよりも低い、
ガラス物品収容容器。
【請求項２】
前記第１ブロック部の高さは、前記収容空間に収容されたガラス物品の高さよりも高い、
請求項１に記載のガラス物品収容容器。
【請求項３】
前記第１プレート部は、光が通過する第１透過窓が形成されている、
請求項１または２に記載のガラス物品収容容器。
【請求項４】
前記第２プレート部は、光が通過する第２透過窓が形成されている、
請求項１から３のいずれかに記載のガラス物品収容容器。
【請求項５】
前記第１ブロック部と前記第２ブロック部とが、前記収容空間に収容されたガラス物品の全体を囲うように形成されている、
請求項１から４のいずれかに記載のガラス物品収容容器。
【請求項６】
前記第２ブロック部は、前記第２プレート部のうち前記第１容器部側に位置する面において、前記第１ブロック部に対面する領域以外の領域に形成されている、
請求項１から５のいずれかに記載のガラス物品収容容器。
【請求項７】
前記第２ブロック部は、前記第２プレート部のうち前記第１容器部側に位置する面において、前記第１ブロック部に対面する領域に形成されている、
請求項１から５のいずれかに記載のガラス物品収容容器。
【請求項８】
前記第１プレート部は、前記第２容器部側に位置する面において前記第１収容空間部が設けられた部分に、第１プレートトレンチ部が形成されている、
請求項１から７のいずれかに記載のガラス物品収容容器。
【請求項９】
前記第２プレート部は、前記第１容器部側に位置する面において前記第２収容空間部が設けられた部分に、第２プレートトレンチ部が形成されている、
請求項１から８のいずれかに記載のガラス物品収容容器。
【請求項１０】
前記第１ブロック部は、前記第２容器部側に位置する面にブロックトレンチ部が形成されている、
請求項１から９のいずれかに記載のガラス物品収容容器。
【請求項１１】
前記第１ブロック部は、前記ブロックトレンチ部によって複数の段が構成されており、前記複数の段のうち最も高い段の面積が他の段の面積よりも小さい、
請求項１０に記載のガラス物品収容容器。
【請求項１２】
前記第１ブロック部は、前記第１収容空間部側に位置する面に第１ブロックトレンチ部が形成されている、
請求項１から９のいずれかに記載のガラス物品収容容器。
【請求項１３】
前記第２ブロック部は、前記第２収容空間部側に位置する面に第２ブロックトレンチ部が形成されている、
請求項１から９、１２のいずれかに記載のガラス物品収容容器。
【請求項１４】
前記第１収容空間部は、前記第１プレート部から離れるに伴って幅が拡大する第１の拡幅空間部を含む、
請求項１から１３のいずれかに記載のガラス物品収容容器。
【請求項１５】
前記第２収容空間部は、前記第２プレート部から離れるに伴って幅が拡大する第２の拡幅空間部を含む、
請求項１から１４のいずれかに記載のガラス物品収容容器。
【請求項１６】
前記第１容器部と前記第２容器部との間を連結する連結部
を有する、
請求項１から１５のいずれかに記載のガラス物品収容容器。
【請求項１７】
前記連結部は、
挿入部材と、
前記挿入部材が挿入される被挿入部材と
を有し、
前記挿入部材は、前記第２容器部に形成されており、
前記被挿入部材は、前記第１容器部に形成されている、
請求項１６に記載のガラス物品収容容器。
【請求項１８】
前記挿入部材の高さが前記第１収容空間部の高さよりも高い、
請求項１７に記載のガラス物品収容容器。
【請求項１９】
請求項１から１８に記載のガラス物品収容容器を使用する、ガラス物品収容容器の使用方法であって、
前記ガラス物品の収容を実行する際には、前記第１容器部の前記第１収容空間部に前記ガラス物品を入れた後に、前記第１容器部と前記第２容器部とを組み合わせることによって前記ガラス物品を前記第２収容空間部に入れ、
前記ガラス物品の取り出しを実行する際には、前記ガラス物品を収容している前記ガラス物品収容容器を反転させた後に、前記第１容器部を前記第２容器部から取り外して、前記第２容器部の前記第２収容空間部から前記ガラス物品を取り出す、
ガラス物品収容容器の使用方法。
【請求項２０】
複数の容器部を備え、前記複数の容器部を積み重ねたときに前記複数の容器部のそれぞれの間に設けられる収容空間にガラス物品を収容するガラス物品収容容器であって、
前記容器部は、
プレート部と、
前記プレート部の一方の面において第１収容空間部を囲うように形成された第１ブロック部と、
前記プレート部の他方の面において第２収容空間部を囲うように形成された第２ブロック部と
を有し、
前記収容空間は、
前記容器部において前記第１ブロック部が周りに設けられた第１収容空間部と、
前記容器部において前記第２ブロック部が周りに設けられた第２収容空間部とを含み、
前記第２収容空間部の高さが、前記第１収容空間部の高さよりも低い、
ガラス物品収容容器。
【請求項２１】
請求項２０に記載のガラス物品収容容器を使用する、ガラス物品収容容器の使用方法であって、
前記ガラス物品の収容を実行する際には、前記複数の容器部のうち一の容器部に設けられた前記第１収容空間部に前記ガラス物品を入れた後に、前記一の容器部と他の容器部とを組み合わせることによって、前記他の容器部に設けられた前記第２収容空間部に前記ガラス物品を入れ、
前記ガラス物品の取り出しを実行する際には、前記ガラス物品を収容している前記ガラス物品収容容器を反転させた後に、前記一の容器部を前記他の容器部から取り外して、前記他の容器部の前記第２収容空間部から前記ガラス物品を取り出す、
ガラス物品収容容器の使用方法。
【発明の詳細な説明】
【技術分野】
【０００１】
本発明は、ガラス物品収容容器、および、その使用方法に関する。
【背景技術】
【０００２】
ガラス物品は、ガラス材料を所望の形状に加工して形成された脆弱物品であって、光学部品（たとえば、レンズ、プリズム）、カバーガラス、筐体、管ガラスなどである。ガラス物品は、製造、評価、および、出荷の際には、破損防止やダストの付着防止のために、トレイなどのガラス物品収容容器に収容される（特許文献１，２参照）。
【先行技術文献】
【特許文献】
【０００３】
【特許文献１】特開２００６−１８２３６２号公報
【特許文献２】特開２００５−０２２６７０号公報
【発明の概要】
【発明が解決しようとする課題】
【０００４】
しかしながら、ガラス物品収容容器にガラス物品を収容する収容作業が容易でない場合がある。また、ガラス物品をガラス物品収容容器から取り出す作業が容易でない場合がある。その結果、作業効率の向上が困難な場合がある。
【０００５】
したがって、本発明が解決しようとする課題は、ガラス物品の収容作業および取り出し作業が容易であって作業効率の向上を実現可能なガラス物品収容容器の提供である。
【課題を解決するための手段】
【０００６】
本発明に係るガラス物品収容容器は、第１容器部と第２容器部とを備え、第１容器部と第２容器部とを積み重ねたときに第１容器部と第２容器部との間に設けられる収容空間にガラス物品を収容する。第１容器部は、第１プレート部と、第１プレート部のうち第２容器部側に位置する面に形成された第１ブロック部とを有する。第２容器部は、第１プレート部に対面する第２プレート部と、第２プレート部のうち第１容器部側に位置する面に形成された第２ブロック部とを有する。収容空間は、第１容器部において第１ブロック部が周りに設けられた第１収容空間部と、第２容器部において第２ブロック部が周りに設けられた第２収容空間部とを含む。第２収容空間部の高さは、第１収容空間部の高さよりも低い。
【発明の効果】
【０００７】
本発明によれば、ガラス物品の収容作業および取り出し作業が容易であって作業効率の向上を実現可能なガラス物品収容容器を提供できる。
【図面の簡単な説明】
【０００８】
【図１Ａ】図１Ａは、第１実施形態に係るガラス物品収容容器１の要部を模式的に示す側面図である。
【図１Ｂ】図１Ｂは、第１実施形態に係るガラス物品収容容器１において、第１容器部１０の要部を模式的に示す上面図である。
【図１Ｃ】図１Ｃは、第１実施形態に係るガラス物品収容容器１において、第２容器部２０の要部を模式的に示す上面図である。
【図１Ｄ】図１Ｄは、第１実施形態に係るガラス物品収容容器１において、第１容器部１０と第２容器部２０とが積み重ねられた状態を模式的に示す上面図である。
【図１Ｅ】図１Ｅは、第１実施形態に係るガラス物品収容容器１において、ガラス物品８０を収容するときの様子を示す図である。
【図１Ｆ】図１Ｆは、第１実施形態に係るガラス物品収容容器１において、ガラス物品８０を収容するときの様子を示す図である。
【図１Ｇ】図１Ｇは、第１実施形態に係るガラス物品収容容器１において、ガラス物品８０を取り出すときの様子を示す図である。
【図２Ａ】図２Ａは、第１実施形態の変形例１−１に係るガラス物品収容容器１の要部を模式的に示す側面図である。
【図２Ｂ】図２Ｂは、第１実施形態の変形例１−１に係るガラス物品収容容器１において、ガラス物品８０を収容するときの様子を示す図である。
【図２Ｃ】図２Ｃは、第１実施形態の変形例１−１に係るガラス物品収容容器１（複数の収容空間ＳＰを備える場合）にガラス物品８０を収容するときの様子を示す図である。
【図２Ｄ】図２Ｄは、第１実施形態の変形例１−１に係るガラス物品収容容器１（複数の収容空間ＳＰを備える場合）にガラス物品８０を収容するときの様子を示す図である。
【図３Ａ】図３Ａは、第１実施形態の変形例１−２に係るガラス物品収容容器１の要部を模式的に示す側面図である。
【図３Ｂ】図３Ｂは、第１実施形態の変形例１−２に係るガラス物品収容容器１において、第１容器部１０の要部を模式的に示す上面図である。
【図３Ｃ】図３Ｃは、第１実施形態の変形例１−２に係るガラス物品収容容器１において、第２容器部２０の要部を模式的に示す上面図である。
【図３Ｄ】図３Ｄは、第１実施形態の変形例１−２に係るガラス物品収容容器１において、第１容器部１０と第２容器部２０とが積み重ねられた状態を模式的に示す上面図である。
【図３Ｅ】図３Ｅは、第１実施形態の変形例１−２に係るガラス物品収容容器１において、ガラス物品８０を収容するときの様子を示す図である。
【図４Ａ】図４Ａは、第１実施形態の変形例１−３に係るガラス物品収容容器１の要部を模式的に示す側面図である。
【図４Ｂ】図４Ｂは、第１実施形態の変形例１−３に係るガラス物品収容容器１において、第１容器部１０の要部を模式的に示す上面図である。
【図４Ｃ】図４Ｃは、第１実施形態の変形例１−３に係るガラス物品収容容器１において、第２容器部２０の要部を模式的に示す上面図である。
【図４Ｄ】図４Ｄは、第１実施形態の変形例１−３に係るガラス物品収容容器１において、第１容器部１０と第２容器部２０とが積み重ねられた状態を模式的に示す上面図である。
【図４Ｅ】図４Ｅは、第１実施形態の変形例１−３に係るガラス物品収容容器１において、ガラス物品８０を収容するときの様子を示す図である。
【図５Ａ】図５Ａは、第１実施形態の変形例１−４に係るガラス物品収容容器１の要部を模式的に示す側面図である。
【図５Ｂ】図５Ｂは、第１実施形態の変形例１−４に係るガラス物品収容容器１において、第１容器部１０の要部を模式的に示す上面図である。
【図５Ｃ】図５Ｃは、第１実施形態の変形例１−４に係るガラス物品収容容器１において、第２容器部２０の要部を模式的に示す上面図である。
【図５Ｄ】図５Ｄは、第１実施形態の変形例１−４に係るガラス物品収容容器１において、第１容器部１０と第２容器部２０とが積み重ねられた状態を模式的に示す上面図である。
【図５Ｅ】図５Ｅは、第１実施形態の変形例１−４に係るガラス物品収容容器１において、ガラス物品８０を収容するときの様子を示す図である。
【図６Ａ】図６Ａは、第２実施形態に係るガラス物品収容容器１の要部を模式的に示す側面図である。
【図６Ｂ】図６Ｂは、第２実施形態に係るガラス物品収容容器１において、第１容器部１０の要部を模式的に示す上面図である。
【図６Ｃ】図６Ｃは、第２実施形態に係るガラス物品収容容器１において、第２容器部２０の要部を模式的に示す上面図である。
【図６Ｄ】図６Ｄは、第２実施形態に係るガラス物品収容容器１において、第１容器部１０と第２容器部２０とが積み重ねられた状態を模式的に示す上面図である。
【図６Ｅ】図６Ｅは、第２実施形態に係るガラス物品収容容器１において、ガラス物品８０を収容するときの様子を示す図である。
【図６Ｆ】図６Ｆは、第２実施形態に係るガラス物品収容容器１において、ガラス物品８０を収容するときの様子を示す図である。
【図７】図７は、第２実施形態の変形例２−１に係るガラス物品収容容器１の要部を模式的に示す側面図である。
【図８】図８は、第２実施形態の変形例２−２に係るガラス物品収容容器１の要部を模式的に示す側面図である。
【図９Ａ】図９Ａは、第２実施形態の変形例２−３に係るガラス物品収容容器１の要部を模式的に示す側面図である。
【図９Ｂ】図９Ｂは、第２実施形態の変形例２−３に係るガラス物品収容容器１において、第１容器部１０の要部を模式的に示す上面図である。
【図９Ｃ】図９Ｃは、第２実施形態の変形例２−３に係るガラス物品収容容器１において、第２容器部２０の要部を模式的に示す上面図である。
【図９Ｄ】図９Ｄは、第２実施形態の変形例２−３に係るガラス物品収容容器１において、第１容器部１０と第２容器部２０とが積み重ねられた状態を模式的に示す上面図である。
【図９Ｅ】図９Ｅは、第２実施形態の変形例２−３に係るガラス物品収容容器１において、ガラス物品８０を収容するときの様子を示す図である。
【図９Ｆ】図９Ｆは、第２実施形態の変形例２−３に係るガラス物品収容容器１において、ガラス物品８０を収容するときの様子を示す図である。
【図１０Ａ】図１０Ａは、第３実施形態に係るガラス物品収容容器１の要部を模式的に示す側面図である。
【図１０Ｂ】図１０Ｂは、第３実施形態に係るガラス物品収容容器１において、第１容器部１０の要部を模式的に示す上面図である。
【図１０Ｃ】図１０Ｃは、第３実施形態に係るガラス物品収容容器１において、第２容器部２０の要部を模式的に示す上面図である。
【図１０Ｄ】図１０Ｄは、第３実施形態に係るガラス物品収容容器１において、第１容器部１０と第２容器部２０とが積み重ねられた状態を模式的に示す上面図である。
【図１０Ｅ】図１０Ｅは、第３実施形態に係るガラス物品収容容器１において、ガラス物品８０を収容するときの様子を示す図である。
【図１０Ｆ】図１０Ｆは、第３実施形態に係るガラス物品収容容器１において、ガラス物品８０を収容するときの様子を示す図である。
【図１１Ａ】図１１Ａは、第４実施形態に係るガラス物品収容容器１の要部を模式的に示す側面図である。
【図１１Ｂ】図１１Ｂは、第４実施形態に係るガラス物品収容容器１において、第１容器部１０の要部を模式的に示す上面図である。
【図１１Ｃ】図１１Ｃは、第４実施形態に係るガラス物品収容容器１において、第２容器部２０の要部を模式的に示す上面図である。
【図１１Ｄ】図１１Ｄは、第４実施形態に係るガラス物品収容容器１において、第１容器部１０と第２容器部２０とが積み重ねられた状態を模式的に示す上面図である。
【図１１Ｅ】図１１Ｅは、第４実施形態に係るガラス物品収容容器１において、ガラス物品８０を収容するときの様子を示す図である。
【図１１Ｆ】図１１Ｆは、第４実施形態に係るガラス物品収容容器１において、ガラス物品８０を収容するときの様子を示す図である。
【図１２Ａ】図１２Ａは、第５実施形態に係るガラス物品収容容器１の要部を模式的に示す側面図である。
【図１２Ｂ】図１２Ｂは、第５実施形態に係るガラス物品収容容器１において、第１容器部１０の要部を模式的に示す上面図である。
【図１２Ｃ】図１２Ｃは、第５実施形態に係るガラス物品収容容器１において、第２容器部２０の要部を模式的に示す上面図である。
【図１２Ｄ】図１２Ｄは、第５実施形態に係るガラス物品収容容器１において、第１容器部１０と第２容器部２０とが積み重ねられた状態を模式的に示す上面図である。
【図１２Ｅ】図１２Ｅは、第５実施形態に係るガラス物品収容容器１において、ガラス物品８０を収容するときの様子を示す図である。
【図１２Ｆ】図１２Ｆは、第５実施形態に係るガラス物品収容容器１において、ガラス物品８０を収容するときの様子を示す図である。
【図１３Ａ】図１３Ａは、第６実施形態に係るガラス物品収容容器１において、第１容器部１０の要部を模式的に示す上面図である。
【図１３Ｂ】図１３Ｂは、第６実施形態に係るガラス物品収容容器１において、第２容器部２０の要部を模式的に示す上面図である。
【図１４】図１４は、第７実施形態に係るガラス物品収容容器１において、ガラス物品８０を収容するときの様子を示す図である。
【図１５Ａ】図１５Ａは、第８実施形態に係るガラス物品収容容器１の要部を模式的に示す側面図である。
【図１５Ｂ】図１５Ｂは、第８実施形態に係るガラス物品収容容器１において、第１容器部１０の要部を模式的に示す上面図である。
【図１５Ｃ】図１５Ｃは、第８実施形態に係るガラス物品収容容器１において、第２容器部２０の要部を模式的に示す上面図である。
【図１５Ｄ】図１５Ｄは、第８実施形態に係るガラス物品収容容器１において、第１容器部１０と第２容器部２０とが積み重ねられた状態を模式的に示す上面図である。
【図１５Ｅ】図１５Ｅは、第８実施形態に係るガラス物品収容容器１において、ガラス物品８０を収容するときの様子を示す図である。
【図１６Ａ】図１６Ａは、第９実施形態に係るガラス物品収容容器１において、ガラス物品８０を収容するときの様子を示す図である。
【図１６Ｂ】図１６Ｂは、第９実施形態に係るガラス物品収容容器１において、ガラス物品８０を取り出すときの様子を示す図である。
【発明を実施するための形態】
【０００９】
発明の実施形態に関して図面を用いて例示する。
【００１０】
＜第１実施形態＞
［Ａ］構成
第１実施形態に係るガラス物品収容容器１の概要について図１Ａを用いて説明する。
【００１１】
図１Ａは、ガラス物品収容容器１の要部を模式的に示す側面図である。図１Ａでは、鉛直面（ｘｚ面）に沿った側面を示している。
【００１２】
図１Ａに示すように、本実施形態のガラス物品収容容器１は、第１容器部１０と第２容器部２０とを備えている。ガラス物品収容容器１は、第１容器部１０に第２容器部２０が積み重ねられたときに第１容器部１０と第２容器部２０との間に収容空間ＳＰが介在するように構成されており、その収容空間ＳＰにガラス物品８０を収容する。収容空間ＳＰは、第１容器部１０に設けられた第１収容空間部ＳＰ１と、第２容器部２０に設けられた第２収容空間部ＳＰ２とによって構成されている。ここでは、収容空間ＳＰは、たとえば、四角柱形状の棒状体であるガラス物品８０を収容するように構成されており、その収容するガラス物品８０の長手方向に沿ったｘ方向に延在している。
【００１３】
ガラス物品収容容器１を構成する各部の詳細について、図１Ａと共に、図１Ｂから図１Ｇを用いて順次説明する。
【００１４】
図１Ｂは、第１容器部１０の要部を模式的に示す上面図である。図１Ｃは、第２容器部２０の要部を模式的に示す上面図である。図１Ｄは、第１容器部１０と第２容器部２０とが積み重ねられた状態を模式的に示す上面図である。図１Ｂ、図１Ｃ、および、図１Ｄでは、水平面（ｘｙ面）に沿った上面を示しており、投影される部材の輪郭を破線で示している。
【００１５】
図１Ｅおよび図１Ｆは、ガラス物品８０を収容するときの様子を示す図である。図１Ｅでは、図１Ａと同様に、鉛直面（ｘｚ面）に沿った側面を示している。図１Ｆでは、図１Ｅに示した鉛直面（ｘｚ面）に直交する他の鉛直面（ｙｚ面）に沿った断面を示している。図１Ｆにおいては、説明の都合により、第１容器部１０については図１ＥのＸ１−Ｘ１部分の断面を示し、第２容器部２０については図１ＥのＸ２−Ｘ２部分の断面を示している。
【００１６】
図１Ｇは、ガラス物品８０を取り出すときの様子を示す図である。図１Ｇでは、図１Ｅと同様に、鉛直面（ｘｚ面）に沿った側面を示している。
【００１７】
なお、説明の都合により、各図においては断面図以外の図についても、ハッチングを付している（以下、同様）。
【００１８】
［Ａ−１］第１容器部１０
ガラス物品収容容器１において、第１容器部１０は、第１プレート部１１と第１ブロック部１２とを有し、第１収容空間部ＳＰ１が設けられている。
【００１９】
第１プレート部１１は、たとえば、直方体形状の板状体である（図１Ａ、図１Ｂ参照）。
【００２０】
第１ブロック部１２は、第１プレート部１１のうち第２容器部２０側に位置する一方の面（図１Ａ、図１Ｅ、図１Ｆでは上面）に形成されている。第１ブロック部１２は、第１プレート部１１の面に直交するｚ方向に突き出たブロック体である。第１ブロック部１２は、たとえば、直方体形状である。第１ブロック部１２は、複数が第１収容空間部ＳＰ１の周りに設けられている（図１Ｂ参照）。
【００２１】
第１ブロック部１２は、たとえば、第１のｙ方向配置ブロック１２１と第１のｘ方向配置ブロック１２２とを含む（図１Ｂ参照）。本実施形態では、一対の第１のｙ方向配置ブロック１２１および一対の第１のｘ方向配置ブロック１２２が第１ブロック部１２として設けられている。
【００２２】
一対の第１のｙ方向配置ブロック１２１は、第１プレート部１１の面に沿ったｙ方向において第１収容空間部ＳＰ１を介して並んでおり、互いが対面している。一対の第１のｙ方向配置ブロック１２１は、第１収容空間部ＳＰ１に収容されたガラス物品８０をｙ方向において固定するために設けられている。
【００２３】
これに対して、一対の第１のｘ方向配置ブロック１２２は、第１プレート部１１の面においてｙ方向に直交するｘ方向に第１収容空間部ＳＰ１を介して並んでおり、互いが対面している。一対の第１のｘ方向配置ブロック１２２は、第１収容空間部ＳＰ１に収容されたガラス物品８０をｘ方向において固定するために設けられている。
【００２４】
［Ａ−２］第２容器部２０
ガラス物品収容容器１において、第２容器部２０は、第２プレート部２１と第２ブロック部２２とを有し、第２収容空間部ＳＰ２が設けられている。
【００２５】
第２プレート部２１は、第１プレート部１１と同様に、たとえば、直方体形状の板状体である（図１Ａ、図１Ｃ参照）。
【００２６】
第２ブロック部２２は、第２プレート部２１のうち第１容器部１０側に位置する一方の面（図１Ａ、図１Ｅ、図１Ｆでは下面）に形成されている。第２ブロック部２２は、第２プレート部２１の面に直交するｚ方向に突き出たブロック体である。第２ブロック部２２は、第１ブロック部１２と同様に、たとえば、直方体形状である。第２ブロック部２２は、複数が第２収容空間部ＳＰ２の周りに設けられている（図１Ｃ参照）。複数の第２ブロック部２２は、第２プレート部２１の一方の面において、第１ブロック部１２に対面する領域以外の領域に形成されている（図１Ｄ参照）。
【００２７】
第２ブロック部２２は、たとえば、第２のｙ方向配置ブロック２２１と第２のｘ方向配置ブロック２２２とを含む（図１Ｃ参照）。本実施形態では、一対の第２のｙ方向配置ブロック２２１および一対の第２のｘ方向配置ブロック２２２が第２ブロック部２２として設けられている。
【００２８】
一対の第２のｙ方向配置ブロック２２１は、ｙ方向において第２収容空間部ＳＰ２を介して並んでおり、互いが対面している。一対の第２のｙ方向配置ブロック２２１は、第２収容空間部ＳＰ２に収容されたガラス物品８０をｙ方向において固定するために設けられている。一対の第２のｙ方向配置ブロック２２１は、第２プレート部２１の一方の面において、一対の第１のｙ方向配置ブロック１２１に対面する領域以外の領域に形成されている（図１Ｄ参照）。
【００２９】
これに対して、一対の第２のｘ方向配置ブロック２２２は、ｘ方向において第２収容空間部ＳＰ２を介して並んでおり、互いが対面している。一対の第２のｘ方向配置ブロック２２２は、第２収容空間部ＳＰ２に収容されたガラス物品８０をｘ方向において固定するために設けられている。一対の第２のｘ方向配置ブロック２２２は、第２プレート部２１の一方の面において、一対の第１のｘ方向配置ブロック１２２に対面する領域以外の領域に形成されている（図１Ｄ参照）。
【００３０】
［Ａ−３］その他
本実施形態のガラス物品収容容器１は、第１ブロック部１２の高さＨ１が、収容空間ＳＰに収容されるガラス物品８０の高さＨ０よりも低くなるように構成されている（Ｈ０＞Ｈ１）。また、第２ブロック部２２の高さＨ２が、第１ブロック部１２の高さＨ１よりも低い（Ｈ１＞Ｈ２）。つまり、第２収容空間部ＳＰ２の高さＨ２が、第１収容空間部ＳＰ１の高さＨ１よりも低い（図１Ｅ参照）。
【００３１】
［Ｂ］製造方法
上記のガラス物品収容容器１の製造方法について説明する。
【００３２】
上記のガラス物品収容容器１の製造では、たとえば、熱可塑性樹脂を用いる。ここでは、熱可塑性樹脂として、ポリエチレン樹脂、ポリプロピレン樹脂、アクリル樹脂、ＡＢＳ樹脂、ポリカーボネート樹脂、ＰＥＴ樹脂などの樹脂が、適宜、選択されて使用される。必要に応じて、熱可塑性樹脂にフィラーなどの添加剤を含有してもよい。たとえば、射出成形、プレス成形、熱成形などの成形法によって、ガラス物品収容容器１を設計形状に加工する。
【００３３】
この他に、たとえば、金属材料、樹脂材料について切削加工を施すことによって、ガラス物品収容容器１の製造を行ってもよい。この場合、金属材料としては、アルミニウム、ステンレス、ニッケル合金などの金属が、適宜、選択されて使用される。また、樹脂材料としては、ナイロン、ＰＥＥＫ、ＰＴＦＥなどの樹脂が、適宜、選択されて使用される。
【００３４】
［Ｃ］使用方法
上記のガラス物品収容容器１の使用方法について説明する。
【００３５】
ここでは、ガラス物品収容容器１にガラス物品８０を収容する「収容作業」と、ガラス物品収容容器１からガラス物品８０を取り出す「取り出し作業」とを順次説明する。
【００３６】
［Ｃ−１］収容作業
ガラス物品８０の収容作業を実行する際には、まず、第１容器部１０の第１収容空間部ＳＰ１にガラス物品８０を入れる（図１Ｅ、図１Ｆ参照）。
【００３７】
具体的には、第１プレート部１１において第１ブロック部１２が設けられた面が上方に向くように、第１容器部１０を準備する。そして、第１容器部１０において第１ブロック部１２が周りに設けられた第１収容空間部ＳＰ１にガラス物品８０が入るように、ガラス物品８０を上方から下方へ移動させる。これにより、ガラス物品８０が第１ブロック部１２によってガイドされて、第１収容空間部ＳＰ１に入れられた状態になる。
【００３８】
つぎに、第１収容空間部ＳＰ１にガラス物品８０を収容した第１容器部１０に、第２容器部２０を積み重ねて、両者を組み合わせる（図１Ｅ、図１Ｆ参照）。
【００３９】
具体的には、第２プレート部２１において第２ブロック部２２が設けられた面が下方に向くように、第２容器部２０を第１容器部１０の上方に準備する。そして、第２容器部２０の第２収容空間部ＳＰ２にガラス物品８０が入るように、第２容器部２０を上方から下方へ移動させる。これにより、第２容器部２０の第２収容空間部ＳＰ２にガラス物品８０が入れられた状態になる。その結果、ガラス物品収容容器１の収容空間ＳＰにガラス物品８０が収容される（図１Ａ参照）。
【００４０】
本実施形態において、ガラス物品８０の収容作業を行う際には、上述したように、第２容器部２０の第２収容空間部ＳＰ２ではなく、第１容器部１０の第１収容空間部ＳＰ１にガラス物品８０を入れる。第１収容空間部ＳＰ１の高さＨ１は、第２収容空間部ＳＰ２の高さＨ２よりも高い。このため、本実施形態では、ガラス物品８０の収容作業が容易であって、ガラス物品８０を安定に収容可能である。
【００４１】
［Ｃ−２］取り出し作業
ガラス物品８０の取り出し作業を実行する際には、まず、ガラス物品８０を収容空間ＳＰに収容したガラス物品収容容器１を反転させる（図１Ｇ参照）。
【００４２】
具体的には、第１容器部１０の上方に第２容器部２０が位置した状態（図１Ａ参照）から、第２容器部２０の上方に第１容器部１０が位置した状態になるように、ガラス物品収容容器１を裏返す（図１Ｇ参照）。
【００４３】
つぎに、第１容器部１０を上方へ移動させて、第１容器部１０を第２容器部２０から取り外す。これにより、第２容器部２０の第２収容空間部ＳＰ２に収容されたガラス物品８０が、外部に開放された状態になる。
【００４４】
つぎに、ガラス物品８０を上方へ移動させて、第２容器部２０の第２収容空間部ＳＰ２からガラス物品８０を取り出す（図１Ｇ参照）。
【００４５】
本実施形態において、ガラス物品８０の取り出し作業を行う際には、上述したように、第１容器部１０の第１収容空間部ＳＰ１ではなく、第２容器部２０の第２収容空間部ＳＰ２からガラス物品８０を取り出す。このとき、第２容器部２０の第２収容空間部ＳＰ２からガラス物品８０が突き出た高さは、ガラス物品８０の高さＨ０から第２収容空間部ＳＰ２の高さＨ２を引いた値（Ｈ０−Ｈ２＝Ｈ１）である。これに対して、本実施形態の場合と異なり、ガラス物品収容容器１の反転を行わずに、第１容器部１０の第１収容空間部ＳＰ１からガラス物品８０を取り出す場合、第１容器部１０の第１収容空間部ＳＰ１からガラス物品８０が突き出た高さは、ガラス物品８０の高さＨ０から第１収容空間部ＳＰ１の高さＨ１を引いた値（Ｈ０−Ｈ１＝Ｈ２）になる。本実施形態では、第２収容空間部ＳＰ２の高さＨ２は、第１収容空間部ＳＰ１の高さＨ１よりも低い。このため、本実施形態では、ガラス物品８０を取り出す際に、第２容器部２０の第２収容空間部ＳＰ２からガラス物品８０が突き出た高さが高いので、取り出し作業においてガラス物品８０をつかみ易い。具体的には、ガラス物品８０を取り出す際に、ガラス物品８０の側面において露出した部分が多いので、たとえば、ピンセット、ロボットハンドで、ガラス物品８０が容易に把持される。また、真空吸着等でガラス物品８０を容易にハンドリング可能である。その結果、本実施形態においては、ガラス物品８０の取り出し作業を容易に実行可能である。
【００４６】
［Ｄ］まとめ
以上のように、本実施形態では、ガラス物品８０の収容作業、および、ガラス物品８０の取り出し作業が容易であるので、作業効率の向上を実現可能である。これに伴い、本実施形態では、ガラス物品８０の破損防止を容易に実現可能である。
【００４７】
［Ｅ］変形例
［Ｅ−１］変形例１−１
第１実施形態の変形例１−１について、図２Ａおよび図２Ｂを用いて説明する。
【００４８】
図２Ａは、ガラス物品収容容器１の要部を模式的に示す側面図である。図２Ａでは、図１Ａと同様に、鉛直面（ｘｚ面）に沿った側面を示している。図２Ｂは、ガラス物品８０を収容するときの様子を示す図である。図２Ｂでは、図１Ｅと同様に、鉛直面（ｘｚ面）に沿った側面を示している。
【００４９】
本変形例では、各図から判るように、第１実施形態の場合と異なり、第１収容空間部ＳＰ１の高さＨ１がガラス物品８０の高さＨ０よりも高い。換言すると、第１ブロック部１２の高さＨ１がガラス物品８０の高さＨ０よりも高い。
【００５０】
このため、本実施形態では、ガラス物品８０は、振動等が加わる状態であっても、安定に収容される。
【００５１】
なお、変形例１−１のガラス物品収容容器１が複数の収容空間ＳＰを備える場合には、以下に示す作用および効果を更に奏することができる。
【００５２】
図２Ｃおよび図２Ｄは、変形例１−１のガラス物品収容容器１に形成された複数の収容空間ＳＰにガラス物品８０を収容するときの様子を示す図である。図２Ｃでは、鉛直面（ｙｚ面）に沿った断面を示している。図２Ｄは、第１容器部１０について水平面（ｘｙ面）に沿った上面を示している。図２ＤのＸ２−Ｘ２部分は、図２Ｃに示す第１容器部１０の断面に相当する。
【００５３】
図２Ｃに示すように、本変形例では、複数の収容空間ＳＰが、水平面（ｘｙ面）においてガラス物品８０の軸方向に沿ったｘ方向に対して直交するｙ方向に並ぶように設けられている。上述したように、本変形例では、第１収容空間部ＳＰ１の高さＨ１がガラス物品８０の高さＨ０よりも高い。
【００５４】
このため、一の第１収容空間部ＳＰ１に一のガラス物品８０を収容した後に、一の第１収容空間部ＳＰ１に隣接する他の第１収容空間部ＳＰ１に他のガラス物品８０を収容する場合、その収容されている一のガラス物品８０に、その収容する他のガラス物品８０が接触しにくい。その結果、収容されている一のガラス物品８０が破損すること等を効果的に防止することができる。
【００５５】
［Ｅ−２］変形例１−２
第１実施形態の変形例１−２について、図３Ａから図３Ｅを用いて説明する。
【００５６】
図３Ａは、ガラス物品収容容器１の要部を模式的に示す側面図である。図３Ａでは、図１Ａと同様に、鉛直面（ｘｚ面）に沿った側面を示している。図３Ｂは、第１容器部１０の要部を模式的に示す上面図である。図３Ｃは、第２容器部２０の要部を模式的に示す上面図である。図３Ｄは、第１容器部１０と第２容器部２０とが積み重ねられた状態を模式的に示す上面図である。図３Ｂ、図３Ｃ、および、図３Ｄのそれぞれは、図１Ｂ、図１Ｃ、および、図１Ｄのそれぞれと同様に、水平面（ｘｙ面）に沿った上面を示しており、投影される部材の輪郭を破線で示している。図３Ｅは、ガラス物品８０を収容するときの様子を示す図である。図３Ｅでは、図１Ｅと同様に、鉛直面（ｘｚ面）に沿った側面を示している。
【００５７】
本変形例では、各図から判るように、第１ブロック部１２の形態および第２ブロック部２２の形態が、上記した第１実施形態の場合と異なっている。これらの点を除き、本変形例は、上記実施形態の場合と同様であるため、重複する部分については、適宜、説明を省略する。
【００５８】
本変形例において、第１ブロック部１２は、４つの第１のｙ方向配置ブロック１２１と４つの第１のｘ方向配置ブロック１２２とを含む（図３Ｂ参照）。
【００５９】
ここでは、一対の第１のｙ方向配置ブロック１２１がｙ方向において第１収容空間部ＳＰ１を介して並んでいる組を２つ備えており、一方の組がｙ方向において第１収容空間部ＳＰ１の一端側（左側）に設けられ、他方の組がｙ方向において第１収容空間部ＳＰ１の他端側（右側）に設けられている。また、一対の第１のｘ方向配置ブロック１２２がｘ方向において第１収容空間部ＳＰ１を介して並んでいる組を２つ備えており、一方の組がｘ方向において第１収容空間部ＳＰ１の一端側（上側）に設けられ、他方の組がｙ方向において第１収容空間部ＳＰ１の他端側（下側）に設けられている。
【００６０】
第１ブロック部１２においては、第１のｙ方向配置ブロック１２１と第１のｘ方向配置ブロック１２２とがＬ字状になるように互いに連結されている。
【００６１】
第２ブロック部２２は、一対の第２のｙ方向配置ブロック２２１および一対の第２のｘ方向配置ブロック２２２が設けられている（図３Ｃ参照）。
【００６２】
一対の第２のｙ方向配置ブロック２２１は、ｙ方向において第２収容空間部ＳＰ２を介して互いが対面するように並んでおり、ｘ方向において第２収容空間部ＳＰ２の中央に位置する部分に設けられている。また、一対の第２のｘ方向配置ブロック２２２は、ｘ方向において第２収容空間部ＳＰ２を介して互いが対面するように並んでおり、ｙ方向において第２収容空間部ＳＰ２の中央に位置する部分に設けられている。
【００６３】
本変形例においても、上記実施形態の場合と同様に、ガラス物品８０の収容作業、および、ガラス物品８０の取り出し作業を容易に実行できるので、作業効率の向上を実現可能である。
【００６４】
［Ｅ−３］変形例１−３
第１実施形態の変形例１−３について、図４Ａから図４Ｅを用いて説明する。
【００６５】
図４Ａは、ガラス物品収容容器１の要部を模式的に示す側面図である。図４Ａでは、図１Ａと同様に、鉛直面（ｘｚ面）に沿った側面を示している。図４Ｂは、第１容器部１０の要部を模式的に示す上面図である。図４Ｃは、第２容器部２０の要部を模式的に示す上面図である。図４Ｄは、第１容器部１０と第２容器部２０とが積み重ねられた状態を模式的に示す上面図である。図４Ｂ、図４Ｃ、および、図４Ｄのそれぞれは、図１Ｂ、図１Ｃ、および、図１Ｄのそれぞれと同様に、水平面（ｘｙ面）に沿った上面を示しており、投影される部材の輪郭を破線で示している。図４Ｅは、ガラス物品８０を収容するときの様子を示す図である。図４Ｅでは、図１Ｅと同様に、鉛直面（ｘｚ面）に沿った側面を示している。
【００６６】
本変形例では、各図から判るように、第１ブロック部１２の形態および第２ブロック部２２の形態が、上記した第１実施形態の場合と異なっている。これらの点を除き、本変形例は、上記実施形態の場合と同様であるため、重複する部分については、適宜、説明を省略する。
【００６７】
本変形例において、第１ブロック部１２は、４つの第１のｙ方向配置ブロック１２１と一対の第１のｘ方向配置ブロック１２２とを含む（図４Ｂ参照）。
【００６８】
ここでは、一対の第１のｙ方向配置ブロック１２１がｙ方向において第１収容空間部ＳＰ１を介して並んでいる組を２つ備えており、一方の組がｙ方向において第１収容空間部ＳＰ１の一端側（左側）に設けられ、他方の組がｙ方向において第１収容空間部ＳＰ１の他端側（右側）に設けられている。また、一対の第１のｘ方向配置ブロック１２２がｘ方向において第１収容空間部ＳＰ１を介して並んでいる。
【００６９】
第２ブロック部２２は、一対の第２のｙ方向配置ブロック２２１および一対の第２のｘ方向配置ブロック２２２が設けられている（図４Ｃ参照）。
【００７０】
一対の第２のｙ方向配置ブロック２２１は、ｙ方向において第２収容空間部ＳＰ２を介して互いが対面するように並んでおり、ｘ方向において第２収容空間部ＳＰ２の中央に位置する部分に設けられている。また、一対の第２のｘ方向配置ブロック２２２は、ｘ方向において第２収容空間部ＳＰ２を介して互いが対面するように並んでおり、ｙ方向において第２収容空間部ＳＰ２の中央に位置する部分に設けられている。
【００７１】
第２ブロック部２２を構成する第２のｘ方向配置ブロック２２２は、第２プレート部２１のうち第１容器部１０側に位置する面において、第１ブロック部１２を構成する第１のｘ方向配置ブロック１２２に対面する領域に形成されている。第１のｘ方向配置ブロック１２２と第２のｘ方向配置ブロック２２２との間には空隙が介在している。
【００７２】
本変形例では、第１ブロック部１２のうち、第１のｙ方向配置ブロック１２１の高さＨ１ｙは、収容空間ＳＰに収容されるガラス物品８０の高さＨ０よりも高い（Ｈ０＜Ｈ１ｙ）。第１ブロック部１２のうち、第１のｘ方向配置ブロック１２２の高さＨ１ｘは、第１のｙ方向配置ブロック１２１の高さＨ１ｙ、および、収容空間ＳＰに収容されるガラス物品８０の高さＨ０よりも低い（Ｈ１ｙ＞Ｈ０＞Ｈ１ｘ）。また、第２ブロック部２２（第２のｙ方向配置ブロック２２１および第２のｘ方向配置ブロック２２２）の高さＨ２は、第１ブロック部１２を構成する第１のｙ方向配置ブロック１２１の高さＨ１ｙよりも低い（Ｈ１ｙ＞Ｈ２）。第１収容空間部ＳＰ１の高さＨ１は、第１ブロック部１２を構成する第１のｙ方向配置ブロック１２１および第１のｘ方向配置ブロック１２２のうち最も高い高さに相当する（Ｈ１＝Ｈ１ｙ）。このため、本変形例においても、第２収容空間部ＳＰ２の高さＨ２が、第１収容空間部ＳＰ１の高さＨ１よりも低い。
【００７３】
本変形例においても、上記実施形態の場合と同様に、ガラス物品８０の収容作業、および、ガラス物品８０の取り出し作業を容易に実行できるので、作業効率の向上を実現可能である。
【００７４】
［Ｅ−４］変形例１−４
第１実施形態の変形例１−４について、図５Ａから図５Ｅを用いて説明する。
【００７５】
図５Ａは、ガラス物品収容容器１の要部を模式的に示す側面図である。図５Ａでは、図１Ａと同様に、鉛直面（ｘｚ面）に沿った側面を示している。図５Ｂは、第１容器部１０の要部を模式的に示す上面図である。図５Ｃは、第２容器部２０の要部を模式的に示す上面図である。図５Ｄは、第１容器部１０と第２容器部２０とが積み重ねられた状態を模式的に示す上面図である。図５Ｂ、図５Ｃ、および、図５Ｄのそれぞれは、図１Ｂ、図１Ｃ、および、図１Ｄのそれぞれと同様に、水平面（ｘｙ面）に沿った上面を示しており、投影される部材の輪郭を破線で示している。図５Ｅは、ガラス物品８０を収容するときの様子を示す図である。図５Ｅでは、図１Ｅと同様に、鉛直面（ｘｚ面）に沿った側面を示している。
【００７６】
本変形例では、各図から判るように、第１ブロック部１２の形態および第２ブロック部２２の形態が、上記した第１実施形態の場合と異なっている。これらの点を除き、本変形例は、上記実施形態の場合と同様であるため、重複する部分については、適宜、説明を省略する。
【００７７】
本変形例において、第１ブロック部１２は、４つの第１のｙ方向配置ブロック１２１と一対の第１のｘ方向配置ブロック１２２とを含む（図５Ｂ参照）。
【００７８】
ここでは、一対の第１のｙ方向配置ブロック１２１がｙ方向において第１収容空間部ＳＰ１を介して並んでいる組を２つ備えており、一方の組がｙ方向において第１収容空間部ＳＰ１の一端側（左側）に設けられ、他方の組がｙ方向において第１収容空間部ＳＰ１の他端側（右側）に設けられている。また、一対の第１のｘ方向配置ブロック１２２がｘ方向において第１収容空間部ＳＰ１を介して並んでいる。一対の第１のｘ方向配置ブロック１２２は、ｙ方向において第１収容空間部ＳＰ１の一端側（図５Ｂでは上側）に位置する部分に設けられており、第１のｙ方向配置ブロック１２１に連結されている。
【００７９】
第２ブロック部２２は、一対の第２のｙ方向配置ブロック２２１および一対の第２のｘ方向配置ブロック２２２が設けられている（図５Ｃ参照）。
【００８０】
一対の第２のｙ方向配置ブロック２２１は、ｙ方向において第２収容空間部ＳＰ２を介して互いが対面するように並んでおり、ｘ方向において第２収容空間部ＳＰ２の中央に位置する部分に設けられている。また、一対の第２のｘ方向配置ブロック２２２は、ｘ方向において第２収容空間部ＳＰ２を介して互いが対面するように並んでいる。一対の第２のｘ方向配置ブロック２２２は、ｙ方向において第２収容空間部ＳＰ２の他端側（図５Ｃでは下側）に位置する部分に設けられている。
【００８１】
本変形例では、第１容器部１０と第２容器部２０とが積み重ねられたときに、第１のｙ方向配置ブロック１２１と第２のｙ方向配置ブロック２２１とがｙ方向において接触する。また、第１のｘ方向配置ブロック１２２と第２のｘ方向配置ブロック２２２とがｘ方向において接触する。これと共に、第１のｙ方向配置ブロック１２１と第２のｘ方向配置ブロック２２２とについても、ｘ方向において接触する。
【００８２】
本変形例においても、上記実施形態の場合と同様に、ガラス物品８０の収容作業、および、ガラス物品８０の取り出し作業を容易に実行できるので、作業効率の向上を実現可能である。
【００８３】
また、本変形例は、上記実施形態の場合よりも収容空間ＳＰを囲う部分が多い。このため、ガラス物品収容容器１の収容空間ＳＰに収容したガラス物品８０において破損等が発生した場合、その破損等で生じた塵等が収容空間ＳＰの内部から外部に出ることを防止可能である。
【００８４】
［Ｅ−５］その他の変形例
その他、上記の実施形態では、収容対象であるガラス物品８０が四角柱形状の棒状体である場合について説明したが、これに限らない。ガラス物品８０は、たとえば、円柱体、三角柱体、円板体、角板体などの形状であってもよい。そして、収容空間ＳＰは、その収容するガラス物品８０に応じた形状に形成されてもよい。
【００８５】
＜第２実施形態＞
［Ａ］構成
第２実施形態に係るガラス物品収容容器１について図６Ａから図６Ｆを用いて説明する。
【００８６】
図６Ａは、ガラス物品収容容器１の要部を模式的に示す側面図である。図６Ａでは、図１Ａと同様に鉛直面（ｘｚ面）に沿った側面を示している。図６Ｂは、第１容器部１０の要部を模式的に示す上面図である。図６Ｃは、第２容器部２０の要部を模式的に示す上面図である。図６Ｄは、第１容器部１０と第２容器部２０とが積み重ねられた状態を模式的に示す上面図である。図６Ｂ、図６Ｃ、および、図６Ｄのそれぞれにおいては、図１Ｂ、図１Ｃ、および、図１Ｄのそれぞれと同様に、水平面（ｘｙ面）に沿った上面を示しており、投影される部材の輪郭を破線で示している。図６Ｅおよび図６Ｆは、ガラス物品８０を収容するときの様子を示す図である。図６Ｅでは、図１Ｅと同様に、鉛直面（ｘｚ面）に沿った側面を示している。図６Ｆでは、図６Ｅに示した鉛直面（ｘｚ面）に直交する他の鉛直面（ｙｚ面）に沿った断面を示している。図６Ｆにおいては、説明の都合により、第１容器部１０については図６ＥのＸ１−Ｘ１部分の断面を示し、第２容器部２０については図６ＥのＸ２−Ｘ２部分の断面を示している。
【００８７】
本実施形態では、各図から判るように、第１プレート部１１の形態および第２プレート部２１の形態が、上記した第１実施形態の場合と異なっている。これらの点を除き、本実施形態は、上記実施形態の場合と同様であるため、重複する部分については、適宜、説明を省略する。
【００８８】
本実施形態において、第１プレート部１１は、光が通過する第１透過窓Ｋ１１が形成されている。ここでは、第１透過窓Ｋ１１は、第１プレート部１１を貫通するように形成されており、第１収容空間部ＳＰ１に連通している。第１透過窓Ｋ１１は、たとえば、矩形形状で形成されている。第１透過窓Ｋ１１は、たとえば、ｘ方向における幅が第１収容空間部ＳＰ１よりも狭く、かつ、ｙ方向における幅が第１収容空間部ＳＰ１よりも狭くなるように形成されている。
【００８９】
同様に、第２プレート部２１は、光が通過する第２透過窓Ｋ２１が形成されている。ここでは、第２透過窓Ｋ２１は、第２プレート部２１を貫通するように形成されており、第２収容空間部ＳＰ２に連通している。第２透過窓Ｋ２１は、たとえば、第１透過窓Ｋ１１と同じ矩形形状であって、第２プレート部２１において第１透過窓Ｋ１１が対面する部分に形成されている。第２透過窓Ｋ２１は、たとえば、ｘ方向における幅が第２収容空間部ＳＰ２よりも狭く、かつ、ｙ方向における幅が第２収容空間部ＳＰ２よりも狭くなるように形成されている。また、第２透過窓Ｋ２１は、たとえば、ｘ方向における幅が第１透過窓Ｋ１１と同じであって、ｙ方向における幅が第１透過窓Ｋ１１と同じになるように形成されている。
【００９０】
［Ｂ］まとめ
以上のように、本実施形態では、第１プレート部１１に第１透過窓Ｋ１１が形成されていると共に、第２プレート部２１に第２透過窓Ｋ２１が形成されている。このため、第１透過窓Ｋ１１または第２透過窓Ｋ２１を介して、収容空間ＳＰに収容されたガラス物品８０に光を照射することによって、ガラス物品８０の検査を実行可能である。たとえば、ガラス物品８０に生じた傷の状態、および、ガラス物品８０の特性に関して、検査が可能である。
【００９１】
［Ｃ］変形例
［Ｃ−１］変形例２−１
第２実施形態の変形例２−１について、図７を用いて説明する。
【００９２】
図７は、ガラス物品収容容器１の要部を模式的に示す側面図である。図７では、図６Ａと同様に、鉛直面（ｘｚ面）に沿った側面を示している。
【００９３】
図７に示すように、第１プレート部１１には第１透過窓Ｋ１１を形成せずに、第２プレート部２１に第２透過窓Ｋ２１を形成するように、ガラス物品収容容器１を構成してもよい。
【００９４】
［Ｃ−２］変形例２−２
第２実施形態の変形例２−２について、図８を用いて説明する。
【００９５】
図８は、ガラス物品収容容器１の要部を模式的に示す側面図である。図８では、図６Ａと同様に、鉛直面（ｘｚ面）に沿った側面を示している。
【００９６】
図８に示すように、第１プレート部１１に第１透過窓Ｋ１１を設けるのに対して、第２プレート部２１には第２透過窓Ｋ２１を設けずに、ガラス物品収容容器１を構成してもよい。
【００９７】
［Ｃ−３］変形例２−３
第２実施形態の変形例２−３について、図９Ａから図９Ｆを用いて説明する。
【００９８】
図９Ａは、ガラス物品収容容器１の要部を模式的に示す側面図である。図９Ａでは、図６Ａと同様に鉛直面（ｘｚ面）に沿った側面を示している。図９Ｂは、ガラス物品収容容器１において、第１容器部１０の要部を模式的に示す上面図である。図９Ｃは、ガラス物品収容容器１において、第２容器部２０の要部を模式的に示す上面図である。図９Ｄは、ガラス物品収容容器１において、第１容器部１０と第２容器部２０とが積み重ねられた状態を模式的に示す上面図である。図９Ｂ、図９Ｃ、および、図９Ｄのそれぞれにおいては、図６Ｂ、図６Ｃ、および、図６Ｄのそれぞれと同様に、水平面（ｘｙ面）に沿った上面を示しており、投影される部材の輪郭を破線で示している。図９Ｅおよび図９Ｆは、ガラス物品収容容器１において、ガラス物品８０を収容するときの様子を示す図である。図９Ｅでは、図６Ｅと同様に、鉛直面（ｘｚ面）に沿った側面を示している。図９Ｆでは、図９Ｅに示した鉛直面（ｘｚ面）に直交する他の鉛直面（ｙｚ面）に沿った断面を示している。図９Ｆにおいては、説明の都合により、第１容器部１０については図９ＥのＸ１−Ｘ１部分の断面を示し、第２容器部２０については図９ＥのＸ２−Ｘ２部分の断面を示している。
【００９９】
本実施形態では、各図から判るように、第１透過窓Ｋ１１の形態および第２透過窓Ｋ２１の形態が、上記した第２実施形態の場合と異なっている。これらの点を除き、本変形例は、上記実施形態の場合と同様であるため、重複する部分については、適宜、説明を省略する。
【０１００】
本実施形態において、第１透過窓Ｋ１１は、複数が第１プレート部１１に形成されている。複数の第１透過窓Ｋ１１は、ｘ方向において間を隔てて設けられている。
【０１０１】
第２透過窓Ｋ２１は、複数が第２プレート部２１に形成されている。複数の第２透過窓Ｋ２１は、第１透過窓Ｋ１１と同様に、ｘ方向において間を隔てて設けられている。
【０１０２】
第１透過窓Ｋ１１および第２透過窓Ｋ２１は、互いが対面する部分を含むと共に、互いが対面しない部分も含むように形成されている。このように、第１透過窓Ｋ１１および第２透過窓Ｋ２１は、必要に応じて様々な形態で形成されてもよい。
【０１０３】
＜第３実施形態＞
［Ａ］構成
第３実施形態に係るガラス物品収容容器１について図１０Ａから図１０Ｆを用いて説明する。
【０１０４】
図１０Ａは、ガラス物品収容容器１の要部を模式的に示す側面図である。図１０Ａでは、図１Ａと同様に鉛直面（ｘｚ面）に沿った側面を示している。図１０Ｂは、第１容器部１０の要部を模式的に示す上面図である。図１０Ｃは、第２容器部２０の要部を模式的に示す上面図である。図１０Ｄは、第１容器部１０と第２容器部２０とが積み重ねられた状態を模式的に示す上面図である。図１０Ｂ、図１０Ｃ、および、図１０Ｄのそれぞれにおいては、図１Ｂ、図１Ｃ、および、図１Ｄのそれぞれと同様に、水平面（ｘｙ面）に沿った上面を示しており、投影される部材の輪郭を破線で示している。図１０Ｅおよび図１０Ｆは、ガラス物品８０を収容するときの様子を示す図である。図１０Ｅでは、図１Ｅと同様に、鉛直面（ｘｚ面）に沿った側面を示している。図１０Ｆでは、図１０Ｅに示した鉛直面（ｘｚ面）に直交する他の鉛直面（ｙｚ面）に沿った断面を示している。図１０Ｆにおいては、図１０ＥのＸ１−Ｘ１部分の断面を示している。
【０１０５】
本実施形態では、各図から判るように、第１ブロック部１２の形態および第２ブロック部２２の形態が、上記した第１実施形態の場合と異なっている。これらの点を除き、本実施形態は、上記実施形態の場合と同様であるため、重複する部分については、適宜、説明を省略する。
【０１０６】
本実施形態において、第１ブロック部１２は、一対の第１のｙ方向配置ブロック１２１と一対の第１のｘ方向配置ブロック１２２とを含む（図１０Ｂ参照）。
【０１０７】
ここでは、一対の第１のｙ方向配置ブロック１２１がｙ方向において第１収容空間部ＳＰ１を介して並んでいる。また、一対の第１のｘ方向配置ブロック１２２がｘ方向において第１収容空間部ＳＰ１を介して並んでいる。
【０１０８】
本実施形態では、第１ブロック部１２は、一対の第１のｙ方向配置ブロック１２１と一対の第１のｘ方向配置ブロック１２２とによって第１収容空間部ＳＰ１の全体を囲うように構成されている。
【０１０９】
たとえば、一対の第１のｙ方向配置ブロック１２１は、ｘ方向に延在しており、ｘ方向における長さが、第１収容空間部ＳＰ１と同じになるように形成されている。また、一対の第１のｘ方向配置ブロック１２２は、ｙ方向に延在しており、ｙ方向における長さが、第１収容空間部ＳＰ１よりも長くなるように形成されている。そして、一対の第１のｙ方向配置ブロック１２１のそれぞれが、一対の第１のｘ方向配置ブロック１２２のそれぞれに連結するように構成されている。
【０１１０】
このように、第１ブロック部１２は、第１収容空間部ＳＰ１の全体を囲う枠体を構成するように形成されている。
【０１１１】
第２ブロック部２２は、一対の第２のｙ方向配置ブロック２２１および一対の第２のｘ方向配置ブロック２２２が設けられている（図１０Ｃ参照）。
【０１１２】
ここでは、一対の第２のｙ方向配置ブロック２２１がｙ方向において第２収容空間部ＳＰ２を介して並んでいる。また、一対の第２のｘ方向配置ブロック２２２がｘ方向において第２収容空間部ＳＰ２を介して並んでいる。
【０１１３】
本実施形態では、第２ブロック部２２は、一対の第２のｙ方向配置ブロック２２１と一対の第２のｘ方向配置ブロック２２２とによって第２収容空間部ＳＰ２の全体を囲うように構成されている。たとえば、一対の第２のｙ方向配置ブロック２２１は、ｘ方向における長さが、第２収容空間部ＳＰ２と同じになるように形成されている。また、一対の第２のｘ方向配置ブロック２２２は、ｘ方向における長さが、第２収容空間部ＳＰ２よりも長くなるように形成されている。そして、一対の第２のｙ方向配置ブロック２２１のそれぞれが、一対の第２のｘ方向配置ブロック２２２のそれぞれに連結するように構成されている。このように、第２ブロック部２２は、第２収容空間部ＳＰ２の全体を囲う枠体を構成するように形成されている。
【０１１４】
また、第２ブロック部２２は、第２プレート部２１のうち第１容器部１０側に位置する面において、第１ブロック部１２に対面する領域に形成されている（図１０Ｄ参照）。このため、第１容器部１０と第２容器部２０とを積み重ねた場合には、第１のｙ方向配置ブロック１２１と第２のｙ方向配置ブロック２２１とが対面した部分が接触する。これと共に、第１のｘ方向配置ブロック１２２と第２のｘ方向配置ブロック２２２とが対面した部分が接触する（図１０Ａ，図１０Ｄ〜図１０Ｆ参照）。
【０１１５】
［Ｂ］まとめ
以上のように、本実施形態のガラス物品収容容器１は、第１容器部１０と第２容器部２０とが積み重ねられた状態であるときに、第１ブロック部１２と第２ブロック部２２とが、収容空間ＳＰに収容されたガラス物品８０の全体を囲う。このため、第１容器部１０と第２容器部２０とが積み重ねられた状態であるときには、収容空間ＳＰが密閉された状態になる。
【０１１６】
したがって、本実施形態では、ガラス物品収容容器１の収容空間ＳＰに収容したガラス物品８０において破損等が発生した場合、その破損等で生じた塵等が収容空間ＳＰの内部から外部に出ることを防止可能である。これと共に、本実施形態では、ガラス物品収容容器１の収容空間ＳＰに塵等が外部（周囲）から入ることを抑制可能である。
【０１１７】
＜第４実施形態＞
［Ａ］構成
第４実施形態に係るガラス物品収容容器１について図１１Ａから図１１Ｆを用いて説明する。
【０１１８】
図１１Ａは、ガラス物品収容容器１の要部を模式的に示す側面図である。図１１Ａでは、図１Ａと同様に鉛直面（ｘｚ面）に沿った側面を示している。図１１Ｂは、第１容器部１０の要部を模式的に示す上面図である。図１１Ｃは、第２容器部２０の要部を模式的に示す上面図である。図１１Ｄは、第１容器部１０と第２容器部２０とが積み重ねられた状態を模式的に示す上面図である。図１１Ｂ、図１１Ｃ、および、図１１Ｄのそれぞれにおいては、図１Ｂ、図１Ｃ、および、図１Ｄのそれぞれと同様に、水平面（ｘｙ面）に沿った上面を示しており、投影される部材の輪郭を破線で示している。図１１Ｅおよび図１１Ｆは、ガラス物品８０を収容するときの様子を示す図である。図１１Ｅでは、図１Ｅと同様に、鉛直面（ｘｚ面）に沿った側面を示している。図１１Ｆでは、図１１Ｅに示した鉛直面（ｘｚ面）に直交する他の鉛直面（ｙｚ面）に沿った断面を示している。図１１Ｆにおいては、説明の都合により、第１容器部１０については図１１ＥのＸ１−Ｘ１部分の断面を示し、第２容器部２０については図１１ＥのＸ２−Ｘ２部分の断面を示している。
【０１１９】
本実施形態では、各図から判るように、第１プレート部１１の形態および第２プレート部２１の形態が、上記した第１実施形態の場合と異なっている。これらの点を除き、本実施形態は、上記実施形態の場合と同様であるため、重複する部分については、適宜、説明を省略する。
【０１２０】
本実施形態において、第１プレート部１１は、第２容器部２０側に位置する面において第１収容空間部ＳＰ１が設けられた部分に、第１プレートトレンチ部Ｔ１１が形成されている。ここでは、第１プレートトレンチ部Ｔ１１は、ｚ方向において凹んだ凹部であって、第１収容空間部ＳＰ１に連通している。第１プレートトレンチ部Ｔ１１は、たとえば、直方体形状であって、ｘ方向における幅が第１収容空間部ＳＰ１よりも狭く、ｙ方向における幅が第１収容空間部ＳＰ１よりも広くなるように形成されている。
【０１２１】
第２プレート部２１は、第１容器部１０側に位置する面において第２収容空間部ＳＰ２が設けられた部分に、第２プレートトレンチ部Ｔ２１が形成されている。ここでは、第２プレートトレンチ部Ｔ２１は、第１プレートトレンチ部Ｔ１１と同様に、ｚ方向において凹んだ凹部であって、第２収容空間部ＳＰ２に連通している。第２プレートトレンチ部Ｔ２１は、たとえば、直方体形状であって、ｘ方向における幅が第２収容空間部ＳＰ２よりも狭く、ｙ方向における幅が第２収容空間部ＳＰ２よりも広くなるように形成されている。また、第２プレートトレンチ部Ｔ２１は、たとえば、ｘ方向における幅が第１プレートトレンチ部Ｔ１１と同じであって、ｙ方向における幅が第１プレートトレンチ部Ｔ１１と同じになるように形成されている。
【０１２２】
［Ｂ］まとめ
以上のように、本実施形態では、第１プレート部１１に第１プレートトレンチ部Ｔ１１が形成されていると共に、第２プレート部２１に第２プレートトレンチ部Ｔ２１が形成されている。このため、本実施形態では、収容空間ＳＰに収容されたガラス物品８０が第１プレート部１１および第２プレート部２１に接触する面の面積は、第１実施形態の場合よりも小さい。その結果、本実施形態においては、振動等に起因して、ガラス物品８０に傷が生ずること、および、ガラス物品８０の塵が生ずること等を抑制可能である。
【０１２３】
＜第５実施形態＞
［Ａ］構成
第５実施形態に係るガラス物品収容容器１について図１２Ａから図１２Ｆを用いて説明する。
【０１２４】
図１２Ａは、ガラス物品収容容器１の要部を模式的に示す側面図である。図１２Ａでは、図１Ａと同様に鉛直面（ｘｚ面）に沿った側面を示している。図１２Ｂは、第１容器部１０の要部を模式的に示す上面図である。図１２Ｃは、第２容器部２０の要部を模式的に示す上面図である。図１２Ｄは、第１容器部１０と第２容器部２０とが積み重ねられた状態を模式的に示す上面図である。図１２Ｂ、図１２Ｃ、および、図１２Ｄのそれぞれにおいては、図１２Ｂ、図１２Ｃ、および、図１２Ｄのそれぞれと同様に、水平面（ｘｙ面）に沿った上面を示しており、投影される部材の輪郭を破線で示している。図１２Ｅおよび図１２Ｆは、ガラス物品８０を収容するときの様子を示す図である。図１２Ｅでは、図１Ｅと同様に、鉛直面（ｘｚ面）に沿った側面を示している。図１２Ｆでは、図１１Ｅに示した鉛直面（ｘｚ面）に直交する他の鉛直面（ｙｚ面）に沿った側面を示している。
【０１２５】
本実施形態では、各図から判るように、第１ブロック部１２の形態および第２ブロック部２２の形態が、上記した第１実施形態の場合と異なっている。これらの点を除き、本実施形態は、上記実施形態の場合と同様であるため、重複する部分については、適宜、説明を省略する。
【０１２６】
本実施形態において、第１ブロック部１２は、一対の第１のｙ方向配置ブロック１２１と一対の第１のｘ方向配置ブロック１２２とを含む。ここでは、一対の第１のｙ方向配置ブロック１２１がｙ方向において第１収容空間部ＳＰ１を介して並んでいる。また、一対の第１のｘ方向配置ブロック１２２がｘ方向において第１収容空間部ＳＰ１を介して並んでいる（図１２Ｂ参照）。
【０１２７】
本実施形態では、一対の第１のｙ方向配置ブロック１２１のそれぞれは、ｘ方向に延在しており、ｘ方向において第１収容空間部ＳＰ１の中央に設けられている。一対の第１のｙ方向配置ブロック１２１は、ｘ方向における長さが、第１収容空間部ＳＰ１よりも短くなるように形成されている。また、一対の第１のｘ方向配置ブロック１２２は、ｙ方向に延在しており、ｙ方向における長さが、第１収容空間部ＳＰ１よりも長くなるように形成されている。そして、一対の第１のｙ方向配置ブロック１２１のそれぞれと、一対の第１のｘ方向配置ブロック１２２のそれぞれとの間には、空隙が介在している（図１２Ｂ参照）。
【０１２８】
本実施形態において、第１ブロック部１２は、第２容器部２０側に位置する面にブロックトレンチ部Ｋ１２が形成されている。ここでは、ブロックトレンチ部Ｋ１２は、ｚ方向において凹んだ凹部である。ブロックトレンチ部Ｋ１２は、たとえば、直方体形状である。第１ブロック部１２は、ブロックトレンチ部Ｋ１２によって複数の段が構成されており、複数の段のうち最も高い段の面積が他の段の面積よりも小さい。
【０１２９】
具体的には、第１ブロック部１２において、一対の第１のｙ方向配置ブロック１２１のそれぞれは、第２容器部２０側に位置する面にブロックトレンチ部Ｋ１２１が形成されている。一対の第１のｙ方向配置ブロック１２１のそれぞれは、ブロックトレンチ部Ｋ１２１によって２つの段が構成されており、２つの段のうち最も高い段の面積が他の段の面積よりも小さい。すなわち、第１のｙ方向配置ブロック１２１には、初段ＳＴ１ａと、その初段ＳＴ１ａよりも第１プレート部１１から離れた第２段ＳＴ１ｂとが設けられており、第２段ＳＴ１ｂの面積が初段ＳＴ１ａの面積よりも小さい（図１２Ｅ参照）。
【０１３０】
第１ブロック部１２において、一対の第１のｘ方向配置ブロック１２２のそれぞれは、第２容器部２０側に位置する面にブロックトレンチ部Ｋ１２２が形成されている。一対の第１のｘ方向配置ブロック１２２のそれぞれは、ブロックトレンチ部Ｋ１２２によって２つの段が構成されており、２つの段のうち最も高い段の面積が他の段の面積よりも小さい。すなわち、第１のｘ方向配置ブロック１２２には、初段ＳＴ２ａと、その初段ＳＴ２ａよりも第１プレート部１１から離れた第２段ＳＴ２ｂとが設けられており、第２段ＳＴ２ｂの面積が初段ＳＴ２ａの面積よりも小さい（図１２Ｆ参照）。
【０１３１】
第２ブロック部２２は、一対の第２のｙ方向配置ブロック２２１および一対の第２のｘ方向配置ブロック２２２が設けられている。一対の第２のｙ方向配置ブロック２２１は、ｙ方向において第２収容空間部ＳＰ２を介して互いが対面するように並んでおり、ｘ方向において第２収容空間部ＳＰ２の中央に位置する部分に設けられている。また、一対の第２のｘ方向配置ブロック２２２は、ｘ方向において第２収容空間部ＳＰ２を介して互いが対面するように並んでおり、ｙ方向において第２収容空間部ＳＰ２の中央に位置する部分に設けられている（図１２Ｃ参照）。
【０１３２】
また、第２ブロック部２２は、第２プレート部２１のうち第１容器部１０側に位置する面において、第１ブロック部１２に対面する領域に形成されている（図１２Ｄ参照）。このため、第１容器部１０と第２容器部２０とを積み重ねた場合には、第１ブロック部１２のブロックトレンチ部Ｋ１２に第２ブロック部２２が挿入され、第１ブロック部１２に第２ブロック部２２が接触した状態になる。つまり、第１のｙ方向配置ブロック１２１の初段ＳＴ１ａと第２のｙ方向配置ブロック２２１とが対面した部分が接触する。これと共に、第１のｘ方向配置ブロック１２２の初段ＳＴ２ａと第２のｘ方向配置ブロック２２２とが対面した部分が接触する（図１２Ａ，図１２Ｄ〜図１２Ｆ参照）。
【０１３３】
本実施形態では、第１のｙ方向配置ブロック１２１の初段ＳＴ１ａおよび第１のｘ方向配置ブロック１２２の初段ＳＴ２ａの高さＨ１ｚと、第２ブロック部２２の高さＨ２とを加算した値が、ガラス物品８０の高さＨ０と同じになるように構成されている（Ｈ１ｚ＋Ｈ２＝Ｈ０）。なお、第１のｙ方向配置ブロック１２１の初段ＳＴ１ａおよび第１のｘ方向配置ブロック１２２の初段ＳＴ２ａの高さＨ１ｚと、第２ブロック部２２の高さＨ２とを加算した値よりも、ガラス物品８０の高さＨ０が低くてもよい（Ｈ１ｚ＋Ｈ２＞Ｈ０）。
【０１３４】
［Ｂ］まとめ
以上のように、本実施形態では、第１ブロック部１２は、第２容器部２０側に位置する面にブロックトレンチ部Ｋ１２が形成されている。このため、本実施形態では、ガラス物品８０の収納作業を容易に実行できる。
【０１３５】
特に、本実施形態では、第１ブロック部１２は、複数（２つ）の段のうち最も高い段の面積が他の段の面積よりも小さい。このため、本実施形態では、ガラス物品８０の収納作業を作業者が手作業で行う際に、ガラス物品８０が第１ブロック部１２に接触する部分が小さい。その結果、本実施形態では、ガラス物品８０の破損を効果的に防止可能である。
【０１３６】
＜第６実施形態＞
［Ａ］構成
第６実施形態に係るガラス物品収容容器１について図１３Ａおよび図１３Ｂを用いて説明する。
【０１３７】
図１３Ａは、第１容器部１０の要部を模式的に示す上面図である。図１３Ｂは、第２容器部２０の要部を模式的に示す上面図である。図１３Ａおよび図１３Ｂのそれぞれにおいては、図１０Ｂおよび図１０Ｃのそれぞれと同様に、水平面（ｘｙ面）に沿った上面を示しており、投影される部材の輪郭を破線で示している。
【０１３８】
本実施形態では、各図から判るように、第１ブロック部１２の形態および第２ブロック部２２の形態が、上記した第３実施形態の場合（図１０Ｂおよび図１０Ｃ参照）と異なっている。これらの点を除き、本実施形態は、上記実施形態の場合と同様であるため、重複する部分については、適宜、説明を省略する。
【０１３９】
本実施形態において、第１ブロック部１２は、第１収容空間部ＳＰ１側に位置する側面に第１ブロックトレンチ部Ｋ１２ｂが形成されている（図１３Ａ参照）。
【０１４０】
ここでは、第１ブロック部１２において、一対の第１のｙ方向配置ブロック１２１のそれぞれは、第１収容空間部ＳＰ１側に位置する側面に第１のｙ方向トレンチ部Ｋ１２１ｂが第１ブロックトレンチ部Ｋ１２ｂとして形成されている。第１のｙ方向トレンチ部Ｋ１２１ｂは、ｙ方向において凹んだ凹部であって、たとえば、直方体形状である。
【０１４１】
また、第１ブロック部１２において、一対の第１のｘ方向配置ブロック１２２のそれぞれは、第１収容空間部ＳＰ１側に位置する側面に第１のｘ方向トレンチ部Ｋ１２２ｂが第１ブロックトレンチ部Ｋ１２ｂとして形成されている。第１のｘ方向トレンチ部Ｋ１２２ｂは、ｘ方向において凹んだ凹部であって、たとえば、直方体形状である。
【０１４２】
本実施形態において、第２ブロック部２２は、第２収容空間部ＳＰ２側に位置する側面に第２ブロックトレンチ部Ｋ２２ｂが形成されている（図１３Ｂ参照）。
【０１４３】
ここでは、第２ブロック部２２において、一対の第２のｙ方向配置ブロック２２１のそれぞれは、第２収容空間部ＳＰ２側に位置する側面に第２のｙ方向トレンチ部Ｋ２２１ｂが第２ブロックトレンチ部Ｋ２２ｂとして形成されている。第２のｙ方向トレンチ部Ｋ２２１ｂは、第１のｙ方向トレンチ部Ｋ１２１ｂと同様に、ｙ方向において凹んだ凹部であって、たとえば、直方体形状である。
【０１４４】
また、第２ブロック部２２において、一対の第２のｘ方向配置ブロック２２２のそれぞれは、第２収容空間部ＳＰ２側に位置する側面に第２のｘ方向トレンチ部Ｋ２２２ｂが第２ブロックトレンチ部Ｋ２２ｂとして形成されている。第２のｘ方向トレンチ部Ｋ２２２ｂは、第１のｘ方向トレンチ部Ｋ１２２ｂと同様に、ｘ方向において凹んだ凹部であって、たとえば、直方体形状である。
【０１４５】
［Ｂ］まとめ
以上のように、本実施形態では、第１ブロック部１２は、第１収容空間部ＳＰ１側に位置する側面に第１ブロックトレンチ部Ｋ１２が形成されている。これと共に、第２ブロック部２２は、第２収容空間部ＳＰ２側に位置する面に第２ブロックトレンチ部Ｋ２２が形成されている。ガラス物品８０が第１ブロック部１２および第２ブロック部２２に接触する部分が小さい。その結果、本実施形態では、ガラス物品８０の破損を効果的に防止可能である。
【０１４６】
＜第７実施形態＞
［Ａ］構成
第７実施形態に係るガラス物品収容容器１の概要について図１４を用いて説明する。
【０１４７】
図１４は、ガラス物品８０を収容するときの様子を示す図である。図１４では、図１Ｆと同様に、鉛直面（ｙｚ面）に沿った断面を示している。
【０１４８】
本実施形態では、第１収容空間部ＳＰ１の形態および第２収容空間部ＳＰ２の形態が、上記した第１実施形態の場合（図１Ｆ参照）と異なっている。これらの点を除き、本実施形態は、上記実施形態の場合と同様であるため、重複する部分については、適宜、説明を省略する。
【０１４９】
本実施形態において、第１収容空間部ＳＰ１は、第１の等幅空間部ＳＰ１ａと第１の拡幅空間部ＳＰ１ｂとを含む。第１の等幅空間部ＳＰ１ａは、第１実施形態の場合と同様に、一定の幅で形成されている。第１の拡幅空間部ＳＰ１ｂは、第１の等幅空間部ＳＰ１ａよりも第１プレート部１１から離れた部分に位置しており、第１プレート部１１から離れるに伴って幅が拡大している。ここでは、第１の拡幅空間部ＳＰ１ｂにおいて第１プレート部１１側の幅は、第１の等幅空間部ＳＰ１ａと同じ第１の幅Ｗ１ａである。そして、第１の拡幅空間部ＳＰ１ｂの幅は、第１プレート部１１から離れるに伴って、第１の幅Ｗ１ａから第２の幅Ｗ１ｂへ一定の割合で広がっている（図１４参照）。
【０１５０】
第２収容空間部ＳＰ２は、第２の等幅空間部ＳＰ２ａと第２の拡幅空間部ＳＰ２ｂとを含む。第２の等幅空間部ＳＰ２ａは、第１実施形態の場合と同様に、一定の幅で形成されている。第２の拡幅空間部ＳＰ２ｂは、第２の等幅空間部ＳＰ２ａよりも第２プレート部２１から離れた部分に位置しており、第２プレート部２１から離れるに伴って幅が拡大している。ここでは、第２の拡幅空間部ＳＰ２ｂにおいて第２プレート部２１側の幅は、第２の等幅空間部ＳＰ２ａと同じ第１の幅Ｗ１ａである。第２の拡幅空間部ＳＰ２ｂの幅は、第２プレート部２１から離れるに伴って、第１の幅Ｗ１ａから第２の幅Ｗ１ｂへ一定の割合で広がっている（図１４参照）。
【０１５１】
［Ｂ］効果
以上のように、本実施形態では、第１収容空間部ＳＰ１は、第１プレート部１１から離れるに伴って幅が拡大する第１の拡幅空間部ＳＰ１ｂを含む。これと共に、第２収容空間部ＳＰ２は、第２プレート部２１から離れるに伴って幅が拡大する第２の拡幅空間部ＳＰ２ｂを含む。これにより、本実施形態においては、ガラス物品８０の収納作業、および、ガラス物品８０の取り出し作業を容易に実行できる。
【０１５２】
＜第８実施形態＞
［Ａ］構成
第８実施形態に係るガラス物品収容容器１について図１５Ａから図１５Ｅを用いて説明する。
【０１５３】
図１５Ａは、ガラス物品収容容器１の要部を模式的に示す側面図である。図１５Ａでは、図１Ａと同様に鉛直面（ｘｚ面）に沿った側面を示している。図１５Ｂは、第１容器部１０の要部を模式的に示す上面図である。図１５Ｃは、第２容器部２０の要部を模式的に示す上面図である。図１５Ｄは、第１容器部１０と第２容器部２０とが積み重ねられた状態を模式的に示す上面図である。図１５Ｂ、図１５Ｃ、および、図１５Ｄのそれぞれにおいては、図１Ｂ、図１Ｃ、および、図１Ｄのそれぞれと同様に、水平面（ｘｙ面）に沿った上面を示しており、投影される部材の輪郭を破線で示している。図１５Ｅは、ガラス物品８０を収容するときの様子を示す図である。図１５Ｅでは、図１Ｅと同様に、鉛直面（ｘｚ面）に沿った側面を示している。
【０１５４】
本実施形態では、各図から判るように、上記した第１実施形態の場合と異なり、連結部３０を有する。この点を除き、本実施形態は、上記実施形態の場合と同様であるため、重複する部分については、適宜、説明を省略する。
【０１５５】
本実施形態において、連結部３０は、挿入部材３１と被挿入部材３２とを有し、挿入部材３１が被挿入部材３２に挿入される。これによって、連結部３０は、第１容器部１０と第２容器部２０との間を連結する。連結部３０を構成する各部について順次説明する。
【０１５６】
連結部３０において、挿入部材３１は、第２容器部２０に形成されている。ここでは、挿入部材３１は、第２容器部２０を構成する第２プレート部２１のうち第１容器部１０側に位置する一方の面に形成されている。挿入部材３１は、たとえば、円柱形状の棒状体であって、ｚ方向に突き出ている（図１５Ｅ参照）。
【０１５７】
これに対して、被挿入部材３２は、第１容器部１０に形成されている。ここでは、被挿入部材３２は、第２プレート部２１のうち第１容器部１０側に位置する一方の面に形成されている。被挿入部材３２は、たとえば、直方体形状のブロック体であって、挿入部材３１が挿入される被挿入孔Ｋ３１が形成されている。被挿入孔Ｋ３１は、挿入部材３１と同様に、円柱形状であって、挿入された挿入部材３１を嵌合する（図１５Ｅ参照）。
【０１５８】
［Ｂ］効果
以上のように、本実施形態のガラス物品収容容器１では、連結部３０によって第１容器部１０と第２容器部２０との間が連結される。このため、本実施形態では、ガラス物品８０の収納作業、および、ガラス物品８０の取り出し作業を容易に実行できる。
【０１５９】
なお、挿入部材３１の高さＨ３が第１収容空間部ＳＰ１の高さＨ１よりも高い方が好ましい（Ｈ３＞Ｈ１）。これにより、挿入部材３１が被挿入部材３２に挿入された状態で、第１容器部１０と第２容器部２０との間を容易に連結可能である。
【０１６０】
＜第９実施形態＞
［Ａ］構成
第９実施形態に係るガラス物品収容容器１の概要について図１６Ａおよび図１６Ｂを用いて説明する。
【０１６１】
図１６Ａは、ガラス物品８０を収容するときの様子を示す図である。図１６Ｂは、ガラス物品８０を取り出すときの様子を示す図である。図１６Ａおよび図１６Ｂは、図１Ｅと同様に、鉛直面（ｘｚ面）に沿った側面を示している。
【０１６２】
本実施形態のガラス物品収容容器１は、本実施形態では、各図から判るように、複数の容器部１０Ｘを備えており、その複数の容器部１０Ｘが積み重ねられる。ガラス物品収容容器１は、その積み重ねられた複数の容器部１０Ｘのそれぞれの間に設けられる収容空間ＳＰにガラス物品８０を収容するように構成されている。収容空間ＳＰは、複数の容器部１０Ｘのうち一の容器部１０Ｘに設けられた第１収容空間部ＳＰ１と、複数の容器部１０Ｘのうち他の容器部１０Ｘに設けられた第２収容空間部ＳＰ２とによって構成されている。これらの点を除き、本実施形態は、上記実施形態の場合と同様であるため、重複する部分については、適宜、説明を省略する。
【０１６３】
本実施形態のガラス物品収容容器１において、容器部１０Ｘは、プレート部１１Ｘと第１ブロック部１２と第２ブロック部２２とを有する。
【０１６４】
プレート部１１Ｘは、たとえば、直方体形状の板状体である。
【０１６５】
第１ブロック部１２は、プレート部１１Ｘのうち一方の面（図１６Ａでは上面）に形成されている。第１ブロック部１２は、第１のｙ方向配置ブロック１２１と第１のｘ方向配置ブロック１２２とを含む。図示を省略しているが、第１のｙ方向配置ブロック１２１および第１のｘ方向配置ブロック１２２は、第１実施形態の場合と同様に、第１収容空間部ＳＰ１の周りに設けられている（図１Ｂ参照）。
【０１６６】
第２ブロック部２２は、プレート部１１Ｘのうち他方の面（図１６Ａでは下面）に形成されている。第２ブロック部２２は、第２のｙ方向配置ブロック２２１と第２のｘ方向配置ブロック２２２とを含む。図示を省略しているが、第２のｙ方向配置ブロック２２１および第２のｘ方向配置ブロック２２２は、第１実施形態の場合と同様に、第２収容空間部ＳＰ２の周りに設けられている（図１Ｃ参照）。
【０１６７】
本実施形態では、第１実施形態の場合と同様に、第２ブロック部２２の高さＨ２が、第１ブロック部１２の高さＨ１よりも低い（Ｈ１＞Ｈ２）。つまり、第２収容空間部ＳＰ２の高さＨ２が、第１収容空間部ＳＰ１の高さＨ１よりも低くなっている。
【０１６８】
［Ｂ］使用方法
上記のガラス物品収容容器１の使用方法について説明する。
【０１６９】
ここでは、ガラス物品収容容器１にガラス物品８０を収容する「収容作業」と、ガラス物品収容容器１からガラス物品８０を取り出す「取り出し作業」とを順次説明する。
【０１７０】
［Ｂ−１］収容作業
ガラス物品８０の収容作業を実行する際には、まず、一の容器部１０Ｘの第１収容空間部ＳＰ１にガラス物品８０を入れる（図１６Ａ参照）。
【０１７１】
具体的には、プレート部１１Ｘにおいて第１ブロック部１２が設けられた面が上方に向くように、容器部１０Ｘを準備する。そして、容器部１０Ｘにおいて第１ブロック部１２が周りに設けられた第１収容空間部ＳＰ１にガラス物品８０が入るように、ガラス物品８０を上方から下方へ移動させる。これにより、ガラス物品８０が第１ブロック部１２によってガイドされて、第１収容空間部ＳＰ１に入れられた状態になる。
【０１７２】
つぎに、第１収容空間部ＳＰ１にガラス物品８０を収容した一の容器部１０Ｘに、他の容器部１０Ｘを積み重ねることによって、両者を組み合わせる。
【０１７３】
具体的には、他のプレート部１１Ｘにおいて第２ブロック部２２が設けられた面が下方に向くように、他の容器部１０Ｘを一の容器部１０の上方に準備する。そして、他の容器部１０Ｘの第２収容空間部ＳＰ２にガラス物品８０が入るように、他の容器部１０Ｘを上方から下方へ移動させる。これにより、他の容器部１０Ｘの第２収容空間部ＳＰ２にガラス物品８０が入れられた状態になる。その結果、ガラス物品収容容器１の収容空間ＳＰにガラス物品８０が収容される。
【０１７４】
本実施形態において、ガラス物品８０の収容作業を行う際には、第１実施形態の場合と同様に、第２収容空間部ＳＰ２ではなく、第１収容空間部ＳＰ１にガラス物品８０を入れる。第１収容空間部ＳＰ１の高さＨ１は、第２収容空間部ＳＰ２の高さＨ２よりも高い。このため、本実施形態においても、第１実施形態の場合と同様に、ガラス物品８０の収容作業が容易であって、ガラス物品８０を安定に収容可能である。
【０１７５】
［Ｂ−２］取り出し作業
ガラス物品８０の取り出しを実行する際には、まず、ガラス物品８０を収容空間ＳＰに収容したガラス物品収容容器１を反転させる（図１６Ｂ参照）。
【０１７６】
具体的には、複数の容器部１０Ｘについて第１収容空間部ＳＰ１が上方に位置した状態から第２収容空間部ＳＰ２が上方に位置した状態になるように、ガラス物品収容容器１を裏返す。つまり、プレート部１１Ｘにおいて第１ブロック部１２が設けられた面が上方に向いた状態を、プレート部１１Ｘにおいて第２ブロック部２２が設けられた面が上方に向いた状態にする。
【０１７７】
つぎに、他の容器部１０Ｘを上方へ移動させて、他の容器部１０Ｘを一の容器部１０Ｘから取り外す。これにより、一の容器部１０Ｘの第２収容空間部ＳＰ２に収容されたガラス物品８０が、外部に開放された状態になる。
【０１７８】
つぎに、ガラス物品８０を上方へ移動させて、一の容器部１０Ｘの第２収容空間部ＳＰ２からガラス物品８０を取り出す。
【０１７９】
本実施形態において、ガラス物品８０の取り出し作業を行う際には、上述したように、容器部１０Ｘの第１収容空間部ＳＰ１ではなく、容器部１０Ｘの第２収容空間部ＳＰ２からガラス物品８０を取り出す。このため、本実施形態では、第１実施形態の場合と同様に、ガラス物品８０を取り出す際に、容器部１０Ｘの第２収容空間部ＳＰ２からガラス物品８０が突き出た高さが高いので、取り出し作業においてガラス物品８０をつかみ易い。その結果、本実施形態においては、ガラス物品８０の取り出し作業を容易に実行可能である。
【０１８０】
［Ｃ］まとめ
以上のように、本実施形態では、ガラス物品８０の収容作業、および、ガラス物品８０の取り出し作業が容易であるので、作業効率の向上を実現可能である。これに伴い、本実施形態では、ガラス物品８０の破損防止を容易に実現可能である。
【０１８１】
＜その他＞
なお、上記した実施形態は、例示であり、発明の要旨を逸脱しない範囲において、各要素について、省略、置き換え、変更などが、適宜、可能である。
【符号の説明】
【０１８２】
１…ガラス物品収容容器、１０…第1容器部、１０Ｘ…容器部、１１…第1プレート部、１１Ｘ…プレート部、１２…第1ブロック部、２０…第２容器部、２１…第２プレート部、２２…第２ブロック部、３０…連結部、３１…挿入部材、３２…被挿入部材、８０…ガラス物品、１２１…第１のｙ方向配置ブロック、１２２…第１のｘ方向配置ブロック、２２１…第２のｙ方向配置ブロック、２２２…第２のｘ方向配置ブロック、Ｋ１１…第１透過窓、Ｋ１２…ブロックトレンチ部、Ｋ１２１…ブロックトレンチ部、Ｋ１２１ｂ…第１のｙ方向トレンチ部、Ｋ１２２…ブロックトレンチ部、Ｋ１２２ｂ…第１のｘ方向トレンチ部、Ｋ１２ｂ…第１ブロックトレンチ部、Ｋ２１…第２透過窓、Ｋ２２…ブロックトレンチ部、Ｋ２２１ｂ…第２のｙ方向トレンチ部、Ｋ２２２ｂ…第２のｘ方向トレンチ部、Ｋ２２ｂ…第２ブロックトレンチ部、Ｋ３１…被挿入孔、ＳＰ…収容空間、ＳＰ１…第１収容空間部、ＳＰ１ａ…第１の等幅空間部、ＳＰ１ｂ…第１の拡幅空間部、ＳＰ２…第２収容空間部、ＳＰ２ａ…第２の等幅空間部、ＳＰ２ｂ…第２の拡幅空間部、ＳＴ１ａ…初段、ＳＴ１ｂ…第２段、ＳＴ２ａ…初段、ＳＴ２ｂ…第２段、Ｔ１１…第１プレートトレンチ部、Ｔ２１…第２プレートトレンチ部
【図１Ａ】
2019099169.tif 000003
【図１Ｂ】
2019099169.tif 000004
【図１Ｃ】
2019099169.tif 000005
【図１Ｄ】
2019099169.tif 000006
【図１Ｅ】
2019099169.tif 000007
【図１Ｆ】
2019099169.tif 000008
【図１Ｇ】
2019099169.tif 000009
【図２Ａ】
2019099169.tif 000010
【図２Ｂ】
2019099169.tif 000011
【図２Ｃ】
2019099169.tif 000012
【図２Ｄ】
2019099169.tif 000013
【図３Ａ】
2019099169.tif 000014
【図３Ｂ】
2019099169.tif 000015
【図３Ｃ】
2019099169.tif 000016
【図３Ｄ】
2019099169.tif 000017
【図３Ｅ】
2019099169.tif 000018
【図４Ａ】
2019099169.tif 000019
【図４Ｂ】
2019099169.tif 000020
【図４Ｃ】
2019099169.tif 000021
【図４Ｄ】
2019099169.tif 000022
【図４Ｅ】
2019099169.tif 000023
【図５Ａ】
2019099169.tif 000024
【図５Ｂ】
2019099169.tif 000025
【図５Ｃ】
2019099169.tif 000026
【図５Ｄ】
2019099169.tif 000027
【図５Ｅ】
2019099169.tif 000028
【図６Ａ】
2019099169.tif 000029
【図６Ｂ】
2019099169.tif 000030
【図６Ｃ】
2019099169.tif 000031
【図６Ｄ】
2019099169.tif 000032
【図６Ｅ】
2019099169.tif 000033
【図６Ｆ】
2019099169.tif 000034
【図７】
2019099169.tif 000035
【図８】
2019099169.tif 000036
【図９Ａ】
2019099169.tif 000037
【図９Ｂ】
2019099169.tif 000038
【図９Ｃ】
2019099169.tif 000039
【図９Ｄ】
2019099169.tif 000040
【図９Ｅ】
2019099169.tif 000041
【図９Ｆ】
2019099169.tif 000042
【図１０Ａ】
2019099169.tif 000043
【図１０Ｂ】
2019099169.tif 000044
【図１０Ｃ】
2019099169.tif 000045
【図１０Ｄ】
2019099169.tif 000046
【図１０Ｅ】
2019099169.tif 000047
【図１０Ｆ】
2019099169.tif 000048
【図１１Ａ】
2019099169.tif 000049
【図１１Ｂ】
2019099169.tif 000050
【図１１Ｃ】
2019099169.tif 000051
【図１１Ｄ】
2019099169.tif 000052
【図１１Ｅ】
2019099169.tif 000053
【図１１Ｆ】
2019099169.tif 000054
【図１２Ａ】
2019099169.tif 000055
【図１２Ｂ】
2019099169.tif 000056
【図１２Ｃ】
2019099169.tif 000057
【図１２Ｄ】
2019099169.tif 000058
【図１２Ｅ】
2019099169.tif 000059
【図１２Ｆ】
2019099169.tif 000060
【図１３Ａ】
2019099169.tif 000061
【図１３Ｂ】
2019099169.tif 000062
【図１４】
2019099169.tif 000063
【図１５Ａ】
2019099169.tif 000064
【図１５Ｂ】
2019099169.tif 000065
【図１５Ｃ】
2019099169.tif 000066
【図１５Ｄ】
2019099169.tif 000067
【図１５Ｅ】
2019099169.tif 000068
【図１６Ａ】
2019099169.tif 000069
【図１６Ｂ】
2019099169.tif 000070